(57)【要約】【課題】  蓋となる一対の外フラップの位置ずれをなくすることができ、この位置ずれがない状態を維持することができ、テープばり、ステープル止めによる荷造りを簡易に行うことができる箱体を提供することにある。【解決手段】  一対の内フラップ５ａ，５ｂ及び一対の外フラップ６ａ，６ｂを有しており、一の外フラップ６ｂの突合せ先端に先細り形をなす凸部８を設け、該凸部８に応じた形をなす凹部７を他の外フラップ６ａの突合せ先端に設け、一対の外フラップ６ａ，６ｂが突合せ先端の長手方向へ位置ずれするとき、凹部７及び凸部８の側面同士が係合し、前記位置ずれを修正することができ、また、この位置ずれがない状態を維持することができるようにした。【選択図】        図１
2006256686.tif 000002
【特許請求の範囲】
【請求項１】
その先端が突合わされる一対のフラップを有する箱体において、一のフラップの突合せ先端は凹部を有しており、他のフラップの突合せ先端は前記凹部に係合する凸部を有することを特徴とする箱体。
【請求項２】
前記凸部は先細り形をなしており、前記凹部は前記凸部に応じる形をなしている請求項１記載の箱体。
【請求項３】
前記フラップを内側へ折ったとき前記係止片の夫々が挿入される貫通孔を有する請求項１又は２記載の箱体。
【請求項４】
前記凹部及び前記凸部は、夫々の突合せ先端の複数の位置に有する請求項１乃至３のいずれか一つに記載の箱体。
【発明の詳細な説明】
【技術分野】
【０００１】
本発明は電気機器などの被収納物を収納するための箱体に関する。
【背景技術】
【０００２】
被収納物を収納するための箱体は、蓋となる一対の内フラップ及び一対の外フラップを有する（例えば、特許文献１参照。）。一対の外フラップは互いに突合わされる長さに形成されており、被収納物を収納した後、一対の内フラップを折目から折り、さらに一対の外フラップを折目から折り、この一対の外フラップの突合せ先端を突合せた状態で、突合せ先端部をテープばり、ステープル止めすることにより荷造りされる。
【０００３】
図５の(a) 、(b) は従来の箱体の構成を示す斜視図である。図５において、１００は蓋となる一対の内フラップ、１０１は蓋となる一対の外フラップであり、外フラップ１０１の突合せ先端は直線になっており、外フラップ１０１が折目から折られたとき、該外フラップの突合せ先端が突合わされるように構成されている。
【特許文献１】実開昭６２−１３００１６号公報
【発明の開示】
【発明が解決しようとする課題】
【０００４】
ところが、箱体の一対の外フラップは、突合せ先端が直線になっているため、外フラップを折目から折ったとき、互いの外フラップが突合せ先端の長手方向へ位置ずれすることがあり、この位置ずれの修正を行いつつテープばり、ステープル止めを行う必要があり、荷造り作業性の改善策が要望されていた。
【０００５】
本発明は斯かる事情に鑑みてなされたものであり、主たる目的は一のフラップの突合せ先端に凹部を設け、該凹部に係合する凸部を他のフラップの突合せ先端に設けることにより、一対のフラップの位置ずれをなくすることができ、荷造りを簡易に行うことができる箱体を提供することにある。
【０００６】
また、他の目的はフラップの凸部を先細り形とし、凹部を凸部に応じる形とすることにより、一対のフラップの位置ずれを凹部及び凸部の側面により修正することができ、荷造りを簡易に行うことができる箱体を提供することにある。
【０００７】
また、他の目的は一対のフラップの両側端に係止片を設け、該係止片の夫々が挿入される貫通孔を有する構成とすることにより、一対のフラップの位置ずれをなくすることができ、さらに一対のフラップの浮上がりを抑制することができ、荷造りを簡易に行うことができる箱体を提供することにある。
【０００８】
また、他の目的は凹部及び凸部を、夫々の突合せ先端の複数の位置に設けることにより、凹部及び凸部の係止力を高めることができる箱体を提供することにある。
【課題を解決するための手段】
【０００９】
本発明に係る箱体は、その先端が突合わされる一対のフラップを有する箱体において、一のフラップの突合せ先端は凹部を有しており、他のフラップの突合せ先端は前記凹部に係合する凸部を有することを特徴とする。
【００１０】
この発明にあっては、一対のフラップを折って凹部及び凸部を係合させることにより、一対のフラップの位置ずれをなくすることができ、また、この位置ずれがない状態を維持することができ、テープばり、ステープル止めによる荷造りを簡易に行うことができる。
【００１１】
また、本発明に係る箱体は、前記凸部は先細り形をなしており、前記凹部は前記凸部に応じる形をなしていることを特徴とする。
【００１２】
この発明にあっては、一対のフラップを折る場合において、一対のフラップが突合せ先端の長手方向へ位置ずれするとき、凹部及び凸部の側面同士が係合し、前記位置ずれを修正することができ、また、この位置ずれがない状態を維持することができ、テープばり、ステープル止めによる荷造りを簡易に行うことができる。
【００１３】
また、本発明に係る箱体は、前記フラップを内側へ折ったとき前記係止片の夫々が挿入される貫通孔を有することを特徴とする。
【００１４】
この発明にあっては、一対のフラップが折られたとき、一のフラップの凹部及び他のフラップの凸部を係合させ、さらに、一対のフラップの係止片を貫通孔に挿入することにより、凹部及び凸部と、係止片及び貫通孔とにより一対のフラップの位置ずれをなくすることができ、この位置ずれがない状態を維持することができるとともに、一対のフラップの浮上がりを係止片により抑制することができ、フラップ突合せ先端部のテープばり、ステープル止めをより一層容易に行うことができ、荷造りをより一層簡易に行うことができる。
【００１５】
また、本発明に係る箱体は、前記凹部及び前記凸部は、夫々の突合せ先端の複数の位置に有することを特徴とする。
【００１６】
この発明にあっては、一対の外フラップを折ることにより、複数の凹部及び複数の凸部を夫々係合させることができるため、位置ずれをなくするための係合力を増加することができ、位置ずれがない状態を維持することができ、テープばり、ステープル止めによる荷造りを簡易に行うことができる。
【発明の効果】
【００１７】
本発明によれば、一対のフラップを折って凹部及び凸部を係合させることにより、一対のフラップの位置ずれをなくすることができ、この位置ずれがない状態を維持することができるため、テープばり、ステープル止めによる荷造りを簡易に行うことができる。
【００１８】
また、本発明によれば、凹部及び凸部の側面によりフラップの位置ずれを修正することができ、この位置ずれがない状態を維持することができるため、テープばり、ステープル止めによる荷造りを簡易に行うことができる。
【００１９】
また、本発明によれば、凹部及び凸部と、係止片及び貫通孔とにより一対の外フラップの位置ずれをなくすることができ、この位置ずれがない状態を維持することができるとともに、一対の外フラップの浮上がりを係止片により抑制することができるため、外フラップ突合せ先端部のテープばり、ステープル止めをより一層容易に行うことができ、荷造りをより一層簡易に行うことができる。
【００２０】
また、本発明によれば、複数の凹部及び複数の凸部が係合するため、位置ずれをなくするための係合力を増加することができ、位置ずれがない状態を維持することができ、テープばり、ステープル止めによる荷造りを簡易に行うことができる。
【発明を実施するための最良の形態】
【００２１】
以下本発明をその実施の形態を示す図面に基づいて詳述する。
実施の形態１
図１は本発明に係る箱体の実施の形態１の構成を示す斜視図、図２は一対の外フラップを折った状態の斜視図、図３は外フラップに設ける凹部及び凸部の他の形態を示す説明図である。
【００２２】
図１に示した箱体は直方体をなす段ボール箱であり、底となる一対の内フラップ１ａ，１ｂ及び一対の外フラップ２ａ，２ｂと、一対の外フラップ２ａ，２ｂに折目を介して連なる一対の側面３ａ，３ｂと、一対の内フラップ１ａ，１ｂに折目を介して連なる一対のツマ面４ａ，４ｂと、一対のツマ面４ａ，４ｂに折目を介して連なり、蓋となる一対の内フラップ５ａ，５ｂと、一対の側面３ａ，３ｂに折目を介して連なり、蓋となる一対の外フラップ６ａ，６ｂとを有する。
【００２３】
一の側面３ａは一のツマ面４ａにのりばりされて筒状に仕上げられており、非使用時には扁平につぶされており、使用時には筒形に引き起こした状態で底となる一対の内フラップ１ａ，１ｂを折目から折り、さらに一対の外フラップ２ａ，２ｂを折目から折り、この外フラップ２ａ，２ｂが例えばステープル止めにより一対の内フラップ１ａ，１ｂに固定される。または外フラップ２ａ，２ｂがテープばりにより固定される。
【００２４】
蓋となる一対の外フラップ６ａ，６ｂは折目から内側へ折られたときに先端が突合わされる長さに形成されており、一の外フラップ６ａの突合せ先端には凹部７が設けられており、他の外フラップ６ｂの突合せ先端には凹部７に係合する凸部８が設けられている。凹部７及び凸部８は相似形をなしており、凸部８は外フラップ６ｂの突合せ先端の長手方向中央部に、先細り形をなす略台形に設けられており、凹部７は外フラップ６ａの突合せ先端の長手方向中央部に、凸部８に応じる形の略台形に設けられている。
【００２５】
尚、凸部８及び凹部７は、図１のように略台形をなす他、図３の(a) ，(b) のように略三角形、略半円形をなす形状であってもよいし、また、図１のように一つの外フラップ６ａ，６ｂに対して一つである他、図３の(c) ，(d) のように突合せ先端の複数の長手方向位置に凹部７又は凸部８が並置されていてもよく、また、突合せ先端の複数の長手方向位置に凹部７及び凸部８が並置されていてもよく、凹部７及び凸部８の形状、個数は特に制限されない。凹部７及び凸部８を図３の(a) ，(b) のように略三角形又は略半円形をなす形状とすることにより、凹部７及び凸部８の側面の係合面積を略台形のものに比べて多くすることができ、凹部７及び凸部８の側面の係合力を高めることができる。また、図３の(c) ，(d) のように突合せ先端の複数の長手方向位置に凹部７又は凸部８が並置された構成とすることにより、複数の凹部７及び複数の凸部８を夫々係合させることができるため、位置ずれをなくするための係合力を増加することができる。
【００２６】
以上のように構成された箱体に被収納物が収納される場合、底となる内フラップ１ａ，１ｂ及び外フラップ２ａ，２ｂが折目から折られ、該外フラップ２ａ，２ｂが例えばステープル止めにより一対の内フラップ１ａ，１ｂに固定され、蓋側が開放された箱体となる。この箱体に被収納物が収納された後、蓋となる一対の内フラップ５ａ，５ｂが折目から折られ、さらに一対の外フラップ６ａ，６ｂが折目から折られる。このとき、一の外フラップ６ａの突合せ先端に設けられた凹部７及び他の外フラップ６ｂの突合せ先端に設けられた凸部８を係合させ、一対の外フラップ６ａ，６ｂの突合せ先端を突合わせることにより、一対の外フラップ６ａ，６ｂの図２矢印Ｘ方向及び矢印Ｙ方向の位置ずれをなくすることができ、しかも、この位置ずれがない状態を維持することができる。従って、一対の外フラップ６ａ，６ｂに位置ずれがない状態でテープばり、ステープル止めを容易に行うことができ、荷造りを簡易に行うことができる。
【００２７】
実施の形態２
図４の(a) ，(b) は本発明に係る箱体の実施の形態２の構成を示す斜視図である。この箱体は、一対の内フラップ１ａ，１ｂ及び一対の外フラップ２ａ，２ｂを有する箱体において、実施の形態１のように蓋となる外フラップ６ａ，６ｂの突合せ先端に凹部７及び凸部８を設け、さらに、蓋となる一対の内フラップ５ａ，５ｂに貫通孔９ａ，９ｂを設け、蓋となる一対の外フラップ６ａ，６ｂの両側端に、貫通孔９ａ，９ｂに係止される係止片１０ａ，１０ｂを夫々設けたものである。
【００２８】
実施の形態２において、貫通孔９ａ，９ｂは内フラップ５ａ，５ｂの幅方向中央部で、且つ折目の近傍に、折目に沿って長孔状に設けられており、係止片１０ａ，１０ｂは外フラップ６ａ，６ｂの両側端で、且つ外フラップ６ａ，６ｂの突合せ先端近傍に折目を介して一体に設けられている。また、係止片１０ａ，１０ｂは貫通孔９ａ，９ｂの約１／２の幅になっており、一の外フラップ６ａの係止片１０ａ，１０ｂが貫通孔９ａ，９ｂの一側に挿入され、他の外フラップ６ｂの係止片１０ａ，１０ｂが貫通孔９ａ，９ｂの他側に挿入されるように構成されている。
【００２９】
実施の形態２にあっては、蓋となる一対の内フラップ５ａ，５ｂが折目から折られ、さらに一対の外フラップ６ａ，６ｂが折目から折られたとき、一の外フラップ６ａの凹部７及び他の外フラップ６ｂの凸部８を係合させ、さらに、一対の外フラップ６ａ，６ｂの係止片１０ａ，１０ｂを内フラップ５ａ，５ｂの貫通孔９ａ，９ｂに夫々挿入することにより、凹部７及び凸部８と、係止片１０ａ，１０ｂ及び貫通孔９ａ，９ｂとにより一対の外フラップ６ａ，６ｂの位置ずれをなくすることができ、この位置ずれがない状態を維持することができる。従って、一対の外フラップ６ａ，６ｂに位置ずれがない状態でテープばり、ステープル止めを容易に行うことができ、荷造りを簡易に行うことができる。
【００３０】
また、折目から折られた係止片１０ａ，１０ｂには弾性復元力が加わるため、貫通孔９ａ，９ｂに挿入された係止片１０ａ，１０ｂは、前記弾性復元力によりツマ面４ａ，４ｂに押圧され、係止片１０ａ，１０ｂ及びツマ面４ａ，４ｂ間に摩擦抵抗が発生し、この摩擦抵抗により外フラップ６ａ，６ｂの内フラップ５ａ，５ｂに対する浮上がりを抑制できる。従って、外フラップ６ａ，６ｂ突合せ先端部のテープばり、ステープル止めをより一層容易に行うことができ、荷造りをより一層簡易に行うことができる。
その他の構成及び作用は実施の形態１と同様であるため、同様の部品については同じ符号を付し、その詳細な説明及び作用効果の説明を省略する。
【００３１】
尚、以上説明した実施の形態では、内フラップ５ａ，５ｂに貫通孔９ａ，９ｂを設けた構成としたが、その他、貫通孔９ａ，９ｂは内フラップ５ａ，５ｂの折目に設けてもよい。
【００３２】
また、以上説明した実施の形態では、蓋となる外フラップ６ａ，６ｂに凹部７、凸部８、係止片１０ａ，１０ｂを設け、内フラップ５ａ，５ｂに貫通孔９ａ，９ｂを設けたが、その他、蓋となる外フラップ６ａ，６ｂ及び底となる外フラップ２ａ，２ｂに凹部７、凸部８、係止片１０ａ，１０ｂを設け、蓋となる内フラップ５ａ，５ｂ及び底となる内フラップ１ａ，１ｂに貫通孔９ａ，９ｂを設けた構成としてもよい。
【００３３】
また、以上説明した実施の形態では、内フラップ５ａ，５ｂ及び外フラップ６ａ，６ｂを備える構成としたが、その他、内フラップ５ａ，５ｂをなくし、外フラップ６ａ，６ｂだけを有する構成としてもよい。
【図面の簡単な説明】
【００３４】
【図１】本発明に係る箱体の実施の形態１の構成を示す斜視図である。
【図２】本発明に係る箱体の一対の外フラップを折った状態の斜視図である。
【図３】本発明に係る箱体の外フラップに設ける凹部及び凸部の他の形態を示す説明図である。
【図４】(a) ，(b) は本発明に係る箱体の実施の形態２の構成を示す斜視図である。
【図５】(a) ，(b) は従来の箱体の構成を示す斜視図である。
【符号の説明】
【００３５】
５ａ，５ｂ  内フラップ
６ａ，６ｂ  外フラップ
７    凹部
８    凸部
９ａ，９ｂ  貫通孔
１０ａ，１０ｂ  係止片
【図１】
2006256686.tif 000003
【図２】
2006256686.tif 000004
【図３】
2006256686.tif 000005
【図４】
2006256686.tif 000006
【図５】
2006256686.tif 000007